(57)【要約】【目的】ユーザが重視するチャンネルとそうでないチャンネルを区別した電子番組ガイド表示が行えるディジタル放送受信装置を提供する。【構成】ＯＳＤ回路１２はＣＰＵ１３から出力指示された文字情報や色情報に基づく映像データを生成する。この映像データは加算器２０によって受信映像に重畳される。ＣＰＵ１３がメモリ１４から読み出したＥＰＧデータに基づく文字情報等をＯＳＤ回路１２に与えることで、画面にＥＰＧ表示が行なわれる。メモリ１４には、チャンネル番号と表示枠の幅値とを対応させたテーブルが格納されている。ＣＰＵ１３は、ＥＰＧ表示の対象となるチャンネルについて前記テーブルで示される幅値に基づいて表示枠を設定してＥＰＧ表示を行う。【選択図】                図１
2004328536.tif 000002
【特許請求の範囲】
【請求項１】
受信したディジタル放送波から番組情報を分離する手段と、チャンネル番号が表示された表示軸と時間帯を示す情報が表示された表示軸とにより特定される各表示枠内にチャンネル番号及び時間帯に対応したガイド情報を前記番組情報から取得して表示することにより電子番組ガイドを表示する電子番組ガイド表示手段と、を備えたディジタル放送受信装置において、ユーザ操作に基づいて一つのチャンネル番号に対応する表示枠群を選択する手段と、選択された表示枠群の幅の拡大又は縮小を示すユーザ操作を判断する手段とを備え、前記電子番組ガイド表示手段は、前記拡大指示又は縮小指示に応じて前記選択された表示枠群の幅を変更して電子番組ガイドを表示するように構成されたことを特徴とするディジタル放送受信装置。
【請求項２】
請求項１に記載のディジタル放送受信装置において、チャンネル番号と表示枠の幅情報とを対応付けたテーブル及び当該テーブルに情報を書き込む書込手段を備え、前記書込手段は、ユーザ入力による操作で設定された表示枠の幅情報を該当のチャンネル番号に対応させて前記テーブルに格納し、前記電子番組ガイド表示手段は、表示するチャンネルについて前記テーブルから表示枠の幅情報を取得し、当該幅情報に基づいて表示枠群の幅を設定して電子番組ガイドを表示するように構成されたことを特徴とするディジタル放送受信装置。
【請求項３】
受信したディジタル放送波から番組情報を分離する手段と、チャンネル番号が表示された表示軸と時間帯を示す情報が表示された表示軸とにより特定される各表示枠内にチャンネル番号及び時間帯に対応したガイド情報を前記番組情報から取得して表示することにより電子番組ガイドを表示する電子番組ガイド表示手段と、を備えたディジタル放送受信装置において、チャンネル番号と表示枠の幅情報とを対応付けたテーブルと、ユーザ入力による幅情報を前記テーブルに書き込む書込手段と、備え、前記電子番組ガイド表示手段は、表示するチャンネルについて前記テーブルから取得した前記表示枠の幅情報を取得し、当該幅情報に基づいて表示枠群の幅を設定して電子番組ガイドを表示するように構成されたことを特徴とするディジタル放送受信装置。
【請求項４】
受信したディジタル放送波から番組情報を分離する手段と、チャンネル番号が表示された表示軸と時間帯を示す情報が表示された表示軸とにより特定される各表示枠内にチャンネル番号及び時間帯に対応したガイド情報を前記番組情報から取得して表示することにより電子番組ガイドを表示する電子番組ガイド表示手段と、を備えたディジタル放送受信装置において、有料放送チャンネルかどうかを判断する手段と、有料チャンネルと表示枠の幅情報とを対応付けたテーブルと、ユーザ入力による幅情報を前記テーブルに書き込む書込手段と、を備え、前記電子番組ガイド表示手段は、表示する有料チャンネルについて前記テーブルから取得した前記表示枠の幅情報を取得し、当該幅情報に基づいて表示枠群の幅を設定して電子番組ガイドを表示するように構成されたことを特徴とするディジタル放送受信装置。
【請求項５】
請求項１乃至請求項４のいずれかに記載のディジタル放送受信装置において、予め設定してある電子番組ガイドの基本全幅に対して表示される電子番組ガイドの全幅が狭い幅となる場合に、前記電子番組ガイド表示手段は、当該狭くなった領域に対応して前記チャンネル番号が表示された表示軸上に他のチャンネル番号を追加表示すると共に、当該他のチャンネル番号に対応する各時間帯の表示枠に当該他のチャンネル番号及び時間帯に対応したガイド情報を前記番組情報から取得して表示することを特徴とするディジタル放送受信装置。
【請求項６】
請求項５に記載のディジタル放送受信装置において、表示チャンネルの追加を示すユーザ操作を検出する手段を備え、前記電子番組ガイド表示手段は、当該ユーザ操作を検出した場合に前記狭くなった領域を利用した前記他のチャンネル番号のガイド情報表示を行うように構成されたことを特徴とするディジタル放送受信装置。
【請求項７】
請求項２乃至請求項６のいずれかに記載のディジタル放送受信装置において、前記テーブルを複数備え、ユーザ操作に基づいて前記複数テーブルのうちの一つが選択されることを特徴とするディジタル放送受信装置。
【発明の詳細な説明】
【０００１】
【産業上の利用分野】
この発明は、番組情報に基づいて電子番組ガイド表示を行なうことができるディジタル放送受信装置に関する。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、番組情報がＥＩＴ（Ｅｖｅｎｔ  Ｉｎｆｏｒｍａｔｉｏｎ  Ｔａｂｌｅ）と呼ばれるテーブルにてデータで送出されており、受信装置側では、複数のチャンネル分のＥＩＴを取得し、その情報を基に電子番組ガイド（ＥＰＧ：  Ｅｌｅｃｔｒｏｎｉｃ  Ｐｒｏｇｒａｍ  Ｇｕｉｄｅ）を作成し、ユーザの操作により提示している。なお、電子番組ガイドの表示を見やすくしたディジタル放送受信装置が知られている（特許文献１参照）。
【０００４】
【特許文献１】
特開２００２−１１２１４４号公報
【０００５】
【発明が解決しようとする課題】
しかしながら、上記従来のディジタル放送受信装置では、ユーザが重視するチャンネルとそうでないチャンネルとは何ら区別なく表示されるものでり、ユーザが望む電子番組ガイド表示が行えない。
【０００６】
この発明は、上記の事情に鑑み、ユーザが重視するチャンネルとそうでないチャンネルを区別した電子番組ガイド表示が行えるディジタル放送受信装置を提供することを目的とする。
【０００７】
【課題を解決するための手段】
この発明のディジタル放送受信装置は、上記課題を解決するために、受信したディジタル放送波から番組情報を分離する手段と、チャンネル番号が表示された表示軸と時間帯を示す情報が表示された表示軸とにより特定される各表示枠内にチャンネル番号及び時間帯に対応したガイド情報を前記番組情報から取得して表示することにより電子番組ガイドを表示する電子番組ガイド表示手段と、を備えたディジタル放送受信装置において、ユーザ操作に基づいて一つのチャンネル番号に対応する表示枠群を選択する手段と、選択された表示枠群の幅の拡大又は縮小を示すユーザ操作を判断する手段とを備え、前記電子番組ガイド表示手段は、前記拡大指示又は縮小指示に応じて前記選択された表示枠群の幅を変更して電子番組ガイドを表示するように構成されたことを特徴とする。
【０００８】
上記の構成であれば、ユーザ操作で所望のチャンネルにおける表示枠の幅を変更することができ、例えばユーザが重視するチャンネルとそうでないチャンネルを区別した電子番組ガイド表示が行えることになる。
【０００９】
上記ディジタル放送受信装置において、チャンネル番号と表示枠の幅情報とを対応付けたテーブル及び当該テーブルに情報を書き込む書込手段を備え、前記書込手段は、ユーザ入力による操作で設定された表示枠の幅情報を該当のチャンネル番号に対応させて前記テーブルに格納し、前記電子番組ガイド表示手段は、表示するチャンネルについて前記テーブルから表示枠の幅情報を取得し、当該幅情報に基づいて表示枠群の幅を設定して電子番組ガイドを表示するように構成されていてもよい。かかる構成であれば、ユーザ設定による幅情報がテーブルに登録されることになり、以降の電子番組ガイド表示においては、設定の内容で電子番組ガイドの表示が行われることになる。
【００１０】
また、この発明のディジタル放送受信装置は、受信したディジタル放送波から番組情報を分離する手段と、チャンネル番号が表示された表示軸と時間帯を示す情報が表示された表示軸とにより特定される各表示枠内にチャンネル番号及び時間帯に対応したガイド情報を前記番組情報から取得して表示することにより電子番組ガイドを表示する電子番組ガイド表示手段と、を備えたディジタル放送受信装置において、チャンネル番号と表示枠の幅情報とを対応付けたテーブルと、ユーザ入力による幅情報を前記テーブルに書き込む書込手段と、備え、前記電子番組ガイド表示手段は、表示するチャンネルについて前記テーブルから取得した前記表示枠の幅情報を取得し、当該幅情報に基づいて表示枠群の幅を設定して電子番組ガイドを表示するように構成されたことを特徴とする。かかる構成においては、電子番組ガイド上での設定に限らず、幅設定用のメニュー画面上で幅設定が行えることになる。
【００１１】
また、この発明のディジタル放送受信装置は、受信したディジタル放送波から番組情報を分離する手段と、チャンネル番号が表示された表示軸と時間帯を示す情報が表示された表示軸とにより特定される各表示枠内にチャンネル番号及び時間帯に対応したガイド情報を前記番組情報から取得して表示することにより電子番組ガイドを表示する電子番組ガイド表示手段と、を備えたディジタル放送受信装置において、有料放送チャンネルかどうかを判断する手段と、有料チャンネルと表示枠の幅情報とを対応付けたテーブルと、ユーザ入力による幅情報を前記テーブルに書き込む書込手段と、を備え、前記電子番組ガイド表示手段は、表示する有料チャンネルについて前記テーブルから取得した前記表示枠の幅情報を取得し、当該幅情報に基づいて表示枠群の幅を設定して電子番組ガイドを表示するように構成されたことを特徴とする。かかる構成であれば、有料チャンネルを対象とした表示枠の幅設定が行えることになる。
【００１２】
これらの構成において、予め設定してある電子番組ガイドの基本全幅に対して表示される電子番組ガイドの全幅が狭い幅となる場合に、前記電子番組ガイド表示手段は、当該狭くなった領域に対応して前記チャンネル番号が表示された表示軸上に他のチャンネル番号を追加表示すると共に、当該他のチャンネル番号に対応する各時間帯の表示枠に当該他のチャンネル番号及び時間帯に対応したガイド情報を前記番組情報から取得して表示するようにしてもよい。また、表示チャンネルの追加を示すユーザ操作を検出する手段を備え、前記電子番組ガイド表示手段は、当該ユーザ操作を検出した場合に前記狭くなった領域を利用した前記他のチャンネル番号のガイド情報表示を行うように構成されていてもよい。
【００１３】
前記テーブルを備える構成において、複数のテーブルを備え、ユーザ操作に基づいて前記複数テーブルのうちの一つが選択されることとしてもよい。これによれば、ユーザごとの電子番組ガイド設定が可能となる。
【００１４】
【発明の実施の形態】
以下、この発明の実施形態のディジタル放送受信装置を図１乃至図７に基づいて説明する。
【００１５】
アンテナ１は、屋外において所定の方向に向けて配置されており、衛星から送られてくるディジタル放送信号を受信する。このアンテナ１は、一般に周波数変換器を備え、受信／周波数変換した信号をチューナ２に与える。
【００１６】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１７】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチプレクサ３は、ビデオストリームとオーディオストリームをＡＶデコーダ４に供給し、ＰＳＩ／ＳＩ等をＣＰＵ１３に供給する。
【００１８】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１９】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００２０】
映像処理回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってＣＲＴ１６ａ及びスピーカ１６ｂを備えるモニタ１６が接続される。
【００２１】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに重畳する処理を行う。上記ＯＳＤ回路１２により、ＥＰＧ画面やメニュー画面などの表示が行えることになる。ＣＰＵ１３は、ＯＳＤ回路１２にてＥＰＧ画面表示を行わせる場合、例えば、図２に示すようなＥＰＧ画面表示（これを基本形態とする）が行われるように処理を行う。ＣＰＵ１３は、チャンネル番号が表示された表示軸を横軸とし、時間帯を示す情報が表示された表示軸を縦軸とする描画情報を生成する。図２の例では、３チャンネルで４時間分の表示枠を設定している。そして、例えば中央にラストチャンネルが表示されるようにして３つのチャンネルを若い番号順に左側から順に表示し、時間帯については最上位置に現在時刻が含まれる時間帯を表示するようにしている。ＣＰＵ１３は、チャンネル番号が表示された表示軸と時間帯を示す情報が表示された表示軸とにより特定される各表示枠内にチャンネル番号及び時間帯に対応したガイド情報（番組情報）をメモリ１４内のＰＳＩ／ＳＩから取得して描画処理を行う。表示枠の大きさは、この実施形態では、縦×横所定ドット数から成る文字が１行内に１０文字入り、且つ、３行分表示できるように設定している。
【００２２】
リモコン送信機１０は、各種のキーを備えて当該放送受信装置３０に各種指令を送出するものであり、前記キーを操作すると、そのキーに対応した指令を意味する信号光（リモコン信号）が発光部から送出される。リモコン受光器１１は、前記信号光を受光し、これを電気信号に変換してＣＰＵ１３に与える。この実施形態では、図６に示してるように、リモコン送信機１０には、ＣＨ追加キー、通常ＥＰＧキー、ユーザ設定１キー、ユーザ設定２キー及びユーザ設定３キーを設けている。
【００２３】
メモリ（例えば、ＲＡＭ、ＲＯＭ、ＥＥＰＲＯＭ、フラッシュメモリ等）１４には、ＥＰＧ画面を表示するためのガイド情報（ＰＳＩ／ＳＩから取得した番組情報）、ＥＰＧ画面の表示処理を行なうソフトウェア等が格納される。また、メモリ１４にはテーブルが設けられている。テーブルは、３ユーザ分設定されている。前記テーブルには、チャンネル番号と表示枠の幅情報とを対応付けた情報、及び有料チャンネルと表示枠の幅情報とを対応付けた情報が格納されている。
【００２４】
ＣＰＵ１３は、このディジタル放送受信装置３０における全体制御を行うものであるが、特にこの発明にかかる処理として、以下に述べるごとく、ＥＰＧ表示に係わる処理を実行する。
【００２５】
▲１▼ＣＰＵ１３は、ユーザ操作により設定された幅情報を前記テーブルに格納する。ユーザ操作は、ＥＰＧ画面（図２、図３参照）上或いはメニュー項目内に設定された幅値設定メニュー（図５参照）上で行うことができる。
【００２６】
▲２▼ＣＰＵ１３は、図２に示したように、ＥＰＧ画面において、一つのチャンネル番号に対応する表示枠群が選択されていることを示すマークＡ１，Ａ２を表示すべく描画処理を行う。図２の例では、チャンネルＣＨ２が選択されている。この表示状態でＣＰＵ１３はリモコン送信機１０における上方向キーの操作を検出すると、マークＡ１，Ａ２を右隣のチャンネル表示枠に対応した位置に移動させ（描画処理を行い）、下方向キーの操作を検出すると、マークＡ１，Ａ２を右隣のチャンネル表示枠に対応した位置に移動させる。また、ＣＰＵ１３はリモコン送信機１０における右方向キーの操作を検出すると、マークＡ２を右側に１文字分移動させると共に対応するチャンネル表示枠を１文字分広げ（描画処理を行い）、左方向キーの操作を検出すると、マークＡ２を左側に１文字分移動させると共に対応するチャンネル表示枠を１文字分狭める。ＣＰＵ１３は、決定キーの操作を検出すると、その表示状態での表示枠の幅値を示す情報を前記テーブルの該当チャンネルの幅情報として格納する。また、或る表示枠の幅値が「１０」から「８」となったときには、当該表示枠に表示すべき文字の描画において、第１行には８文字分のドットを描画し、次の９文字目からは第２行に表示するように描画処理を行う。
【００２７】
▲３▼ＣＰＵ１３は、予め設定してある電子番組ガイドの基本全幅（図２参照）に対して表示される電子番組ガイドの全幅が狭い幅となる場合に、空いた領域の前記チャンネル番号が表示された表示軸上に、図３に示すごとく、他のチャンネル番号を表示すると共に、当該他のチャンネル番号に対応する各時間帯の表示枠に当該他のチャンネル番号及び時間帯に対応したガイド情報を前記メモリ１４から取得して表示する処理を行う。ＣＰＵ１３は、例えば、各チャンネルの表示枠が１０文字分であって基本全幅で３０文字分とする設定情報に従う場合、或るチャンネルの表示枠の幅値が「４」に設定され、他の或るチャンネルの表示枠の幅値が「５」に設定されたのであれば、それらの加算値である「９」の幅で前記他のチャンネル番号の表示枠を設定して描画する。他のチャンネルの番号はその左側のチャンネルの番号に１加算した番号とし、当該番号に対応するチャンネルの番組情報をメモリ１４から取り出す。当該番号に対応するチャンネルの番組情報がメモリ１４に存在しないときには、更に１加算した番号として同様の処理を行い、番組情報が見つかれば当該処理を終了する。
【００２８】
▲４▼ＣＰＵ１３は、ユーザ操作に基づいて、メニュー項目内に設定された幅値設定メニュー（図５参照）を表示する。この表示状態でＣＰＵ１３がリモコン送信機１０における上下方向キーの操作を検出すると、カーソル（色変わり領域）を上下に移動させる。ＣＰＵ１３はテンキー入力を検出すると、その数字をカーソル位置の幅値入力欄に表示する。決定キーの操作を検出すると、カーソル位置の数値を幅値として前記テーブルの該当チャンネルの幅情報として格納する。この格納の後にＥＰＧ表示を行うときには、上記幅情報に基づいてチャンネル表示の幅を設定して描画処理を行う。
【００２９】
▲５▼ＣＰＵ１３は、ＥＰＧ表示される３つ分のチャンネルに有料チャンネルが存在するかどうかを判断する。有料チャンネルかどうかは例えばＣＡ契約情報記述子によって判断できる。この実施形態では、フラット（編成チャンネルで契約して課金）の形態を有料チャンネルであるとして、そのチャンネル番号と幅値とを対応つけてテーブルを作成する。ＣＰＵ１３は前記テーブルに記述されている幅値に従って該当有料チャンネルの表示枠の幅を設定してＥＰＧ表示処理を行うようになっており、この処理により、図４に示すごとく、表示が行われる。有料チャンネル番号と幅値との対応つけは、例えば、図５に示したようなメニュー画面にて行うことができる。
【００３０】
▲６▼前述のごとく、テーブルは３ユーザ分設定されている（以下、第１テーブル、第２テーブル、第３テーブルという）。ＣＰＵ１３は、リモコン送信機１０のユーザ設定１キーの操作を検出したときには第１テーブルを選択し、ユーザ設定２キーの操作を検出したときには第２テーブルを選択し、ユーザ設定３キーの操作を検出したときには第３テーブルを選択する。そして、選択したテーブルで示されている幅値に従って、チャンネル表示の幅を設定して描画処理を行う。各テーブルが選択された状態でユーザごとの幅値設定（図２、図３、図５に示した設定）が行われることで、当該幅値がテーブルに登録されることになる。これにより、複数のユーザに対してユーザごとの望みのＥＰＧ表示が可能となる。
【００３１】
図７に基づいてＥＰＧ設定後の処理例を簡単に説明する。ＣＰＵ１３は、リモコン送信機１０の通常ＥＰＧキーが操作されたときには（ステップＳ１でＹＥＳ）、通常ＥＰＧを画面表示する（ステップＳ２）。一方、ユーザ設定キーが操作されたときには（ステップＳ３でＹＥＳ）、当該ユーザ設定キーに対応付けられたテーブルをメモリ１４から読み出し、このテーブルから各チャンネルの表示枠の幅値を把握し、ユーザ個別のＥＰＧを画面表示する（ステップＳ４）。
【００３２】
【発明の効果】
以上説明したように、この発明によれば、ユーザが重視するチャンネルとそうでないチャンネルを区別した電子番組ガイド表示が行える等の効果を奏する。
【図面の簡単な説明】
【図１】この発明の実施形態のディジタル放送受信装置を示したブロック図である。
【図２】この発明の実施形態のＥＰＧ表示形態を示した説明図である。
【図３】この発明の実施形態のＥＰＧ表示形態を示した説明図である。
【図４】この発明の実施形態のＥＰＧ表示形態を示した説明図である。
【図５】幅値設定メニュー画面を示した説明図である。
【図６】リモコン送信機を例示した平面図である。
【図７】ＥＰＧ表示処理を示したフローチャートである。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2004328536.tif 000003
【図２】
2004328536.tif 000004
【図３】
2004328536.tif 000005
【図４】
2004328536.tif 000006
【図５】
2004328536.tif 000007
【図６】
2004328536.tif 000008
【図７】
2004328536.tif 000009